(57)【要約】  自動二輪車の側部に装着されるサイドケースを保持するために設けられる保持装置が後部領域に配置されている自動二輪車。保持装置は自動二輪車から上方へ突出する少なくとも１つの歯状またはピン状の形状拘束要素を有している。サイドケースは形状拘束要素に形状拘束的に嵌合可能な繰り抜き部を有している。前記少なくとも１つの形状拘束要素はサイドケースを取り外したときにラッシング穴として機能する穴を有している。
2008500215.tif 000002
【特許請求の範囲】
【請求項１】
自動二輪車の側部に装着されるサイドケース（１７）を保持するために設けられる保持装置（１）が自動二輪車の後部領域に配置され、保持装置（１）が自動二輪車から上方へ突出する少なくとも１つの歯状またはピン状の形状拘束要素（３，４）を有し、サイドケース（１７）が形状拘束要素（３，４）に形状拘束的に嵌合可能な繰り抜き部（１８）を有し、形状拘束要素（３，４）がサイドケース（１７）を取り外したときにラッシング穴として機能する穴（１０，１１）を有している自動二輪車。
【請求項２】
自動二輪車の前面または後面から見て、少なくとも１つの形状拘束要素（３，４）が自動二輪車から斜め上方へ突出している、請求項１に記載の自動二輪車。
【請求項３】
自動二輪車の前面または後面から見て、少なくとも１つの形状拘束要素（３，４）が自動二輪車の上下軸線（１６）に対し２０゜と４５゜の間の角度範囲にある角度（α）を成して自動二輪車から斜め上方へ突出している、請求項１または２に記載の自動二輪車。
【請求項４】
角度（α）が３０゜である、請求項３に記載の自動二輪車。
【請求項５】
保持装置（１）が２つの歯状またはピン状の形状拘束要素（３，４）を有している、請求項１から４までのいずれか一つに記載の自動二輪車。
【請求項６】
２つの歯状またはピン状の形状拘束要素（３，４）が実質的に自動二輪車の長手方向に延びている結合部分（２）により互いに一体に結合されている、請求項５に記載の自動二輪車。
【請求項７】
保持装置（１）の少なくとも一部分が自動二輪車のカウリング（１３）によって覆われている、請求項１から６までのいずれか一つに記載の自動二輪車。
【請求項８】
カウリング（１３）が繰り抜き部（１４）を有し、該繰り抜き部（１４）から前記少なくとも１つの形状拘束要素（３，４）が突出している、請求項７に記載の自動二輪車。
【請求項９】
保持装置（１）がカウリング（１３）の下に配置され、カウリング（１３）が繰り抜き部（１４）を有し、該繰り抜き部（１４）から形状拘束要素（３，４）が突出している、請求項６から８までのいずれか一つに記載の自動二輪車。
【請求項１０】
前記少なくとも１つの形状拘束要素（３，４）が板の形状を有している、請求項１から９までのいずれか一つに記載の自動二輪車。
【請求項１１】
前記少なくとも１つの歯状またはピン状の形状拘束要素（３，４）が自動二輪車から突出しているその端部のほうへ先細りになっている、請求項１から１０までのいずれか一つに記載の自動二輪車。
【請求項１２】
自動二輪車の側面から見て、前記少なくとも１つの形状拘束要素（３，４）が歯車の歯のような形状を有している、請求項１から１１までのいずれか一つに記載の自動二輪車。
【請求項１３】
保持装置（１）がプラスチックから成っている、請求項１から１２までのいずれか一つに記載の自動二輪車。
【請求項１４】
保持装置（１）が自動二輪車のフレームにねじ止めされている、請求項１から１３までのいずれか一つに記載の自動二輪車。
【発明の詳細な説明】
【技術分野】
【０００１】
本発明は、請求項１の構成による、自動二輪車に装着されるサイドケースを保持するための保持装置を備えた自動二輪車に関するものである。
【背景技術】
【０００２】
多くの自動二輪車は後部領域にサイドケースを備えている。サイドケースを自動二輪車に固定するため種々の実施態様が知られている。
【発明の開示】
【発明が解決しようとする課題】
【０００３】
本発明の課題は、サイドケースを固定するための保持装置を備えた自動二輪車において、保持装置がコンパクトに構成され、且つ人間工学的に好ましく配置され、自動二輪車のデザインに好適に適合させることができ、サイドケースを取り外したときに荷物のラッシングに利用することのできるような前記自動二輪車を提供することである。
【課題を解決するための手段】
【０００４】
この課題は請求項１の構成により解決される。本発明の有利な他の構成は従属項から読み取れる。
【０００５】
本発明の基本原理は、自動二輪車の側部に装着されるサイドケースを保持するために自動二輪車の後部領域に配置されている保持装置であって、保持装置が少なくとも１つの歯状またはピン状の形状拘束要素を有し、形状拘束要素が自動二輪車から上方へ突出し且つ穴を有している点にある。サイドケースは、歯状またはピン状の形状拘束要素に対し相補的に構成されている繰り抜き部を有している。サイドケースを固定するには、サイドケースの繰り抜き部を形状拘束要素に嵌合させるだけでよい。すなわちサイドケースはその繰り抜き部によって形状拘束要素に掛止され、これにより自動的に正確に位置決めされる。すでに述べたように歯状またはピン状の形状拘束要素は穴を有している。形状拘束要素のこの穴は、サイドケースを取り外した場合にラッシング穴として機能する。ラッシング穴には締め付けベルト、ロープ、またはエキスパンダを挿通或いは掛止させることができ、荷物の確実なラッシングを可能にしている。
【０００６】
自動二輪車の前面または後面から見て、前記少なくとも１つの形状拘束要素は自動二輪車から斜め上方へ突出するように配置されていてよい。自動二輪車の上下軸線に対しては、形状拘束要素は２０゜と４５゜の間の範囲にある角度で斜めに配置されていてよい。好ましくは、形状拘束要素が自動二輪車の上下軸線と３０゜の角度を成しているのがよい。形状拘束要素が斜めに配置されているために、サイドケースの掛止がかなり容易になる。すなわち掛止の際サイドケースを上方から垂直下方に降ろすのではなく、斜め上方から下方へ形状拘束要素に接近させればよい。形状拘束要素を斜めに配置する更なる利点は、少なく下１つの形状拘束要素の上方に同乗者用の保持グリップを配置できる点である。保持グリップはたとえば自動二輪車の長手方向に延びている。サイドケースは取り付け取り外しの際に鉛直方向に移動させるのではなく、斜めに移動させるので、保持グリップが前記少なくとも１つの形状拘束要素のすぐ上に装着されていても支障のない取り付け取り外しが可能である。
【０００７】
好ましくは、保持装置が、結合部分を介して互いに一体的に結合させることのできるような２つの歯状またはピン状の形状拘束要素を有しているのがよい。両形状拘束要素と前記結合部分とにより形成される保持装置は、射出成形法により製造されたプラスチック部材であってよい。保持装置はねじまたは他の固定手段を用いて自動二輪車のフレームに固定されていてよい。
【０００８】
本発明の他の構成によれば、保持要素は少なくとも部分的に自動二輪車のカウリングによって覆われていてよい。これは非常に印象的なデザインを可能にする。本発明の変形実施態様では、保持装置はカウリングの下に配置され、形状拘束のみがカウリングから突出する。この場合、カウリングは形状拘束要素の領域に適当な繰り抜き部を有している。これとは択一的に、保持装置がその形状拘束要素のみによってカウリングから突出するのではなく、前記結合部分の一部も印象的なデザインを有し、カウリングによって覆われないようにしてもよい。
【０００９】
前記少なくとも１つの形状拘束要素は、実質的に互いに平行な２つの側面を備えて板状に構成されていてよい。サイドケースの掛止を容易にするため、前記少なくとも１つの形状拘束要素は自動二輪車から突出しているその自由端の方向に先細りになっていてよい。これに関しては多様な構成が考えられる。形状拘束要素は側面から見てプリズム状または三角形に構成されていてよく、或いは、歯車の歯の形状のように丸みを帯びた側部輪郭を有していてよい。
【発明を実施するための最良の形態】
【００１０】
次に、本発明の実施形態を添付の図面を用いて詳細に説明する。
図１は保持装置１を示している。保持装置１は中央部分または結合部分２を有し、該中央部分または結合部分２の第１の端部には第１の形状拘束要素３が配置され、第２の端部には第２の形状拘束要素４が配置されている。保持装置１はプラスチックから一体的に製造されていてよい。形状拘束要素３，４の領域にはそれぞれ、穴７，８を付設したフランジ５，６が設けられている。フランジ５，６と保持装置１の背面に設けられる他のフランジとを介して保持装置１を自動二輪車（ここには図示せず）のフレームにたとえばねじを用いて固定することができる。中央部分または結合部分２の領域９はそのデザインに関し目視可能に形成されていてよく、すなわち自動二輪車のカウリングによって覆われない部分として形成されていてよい。
【００１１】
図１からわかるように、形状拘束要素３，４はここに図示した側面図において「歯状」に構成されており、これは歯車の歯の外側輪郭に相当するものである。すなわち形状拘束要素３，４は自動二輪車から突出しているその自由端の方向に先細りになっている。したがってサイドケース（形状拘束要素３，４の形状に応じて構成された凹部を有している）を形状拘束要素３，４にきわめて簡単に掛止させることができ、サイドケースが引っかかったり、傾斜したりする危険はない。形状拘束要素３，４がその自由端のほうへ先細りになっているので、サイドケースは形状拘束要素３，４に取り付ける際に自動的にその適正な位置へ滑動する。形状拘束要素の「エッジ」が丸くなっていることによりサイドケースとの取り付けがさらに容易になり、また安全性の点でも有利である。
【００１２】
図１からわかるように、形状拘束要素３，４はそれぞれ貫通穴１０，１１を有し、これら貫通穴１０，１１の輪郭も丸くなっている。貫通穴１０，１１により軽量化が達成される。また、サイドケースを取り外したときに荷物を縛りつけるためのラッシング穴として貫通穴１０，１１を使用できることも利点である。この点は図１に示唆されており、形状拘束要素３の貫通穴１０にラッシングベルト１２が挿通されている。これとは択一的に、エキスパンダや、フックを備えた他のラッシング要素を、形状拘束要素３，４の貫通穴１０，１１に掛止するようにしてももちろんよい。
【００１３】
図２は図１の断線Ａ−Ａによる図１の保持装置１の横断面図である。保持装置１は形状拘束要素の領域Ａの２つのフランジ部分５，５ａにおいて、または、該フランジ部分に設けられている穴７，７ａにおいて自動二輪車（ここには図示せず）にねじ止めされている。保持装置１の中央部分または結合部分２（図１を参照）はカウリング要素１３によって覆われている。カウリング要素１３は形状拘束要素３，４の領域に繰り抜き部１４を有し、該繰り抜き部１４を通じて形状拘束要素３は斜め上方へ突出している。対応する繰り抜き部を、ここには図示していない他の形状拘束要素のために設けてもよい。図２に図示した場合のように、サイドケースが取り付けられていない場合には、形状拘束要素をラッシング穴として使用することができる。このため、ラッシングベルト１２を貫通穴１０に挿通させるか、或いは、エキスパンダ等を形状拘束要素の貫通穴１０に掛止させることができる。自動二輪車の右側および左側にそれぞれこの種の保持装置が配置されている場合には、適当な締め付け固定装置を用いて荷物を形状拘束要素３，４にラッシングさせることができる。
【００１４】
図３は図１の断線Ｂ−Ｂによる保持装置１の横断面図である。形状拘束要素３の上方には保持グリップ１５が設けられている。保持グリップ１５は実質的に自動二輪車の長手方向に延びており、すなわち図面の面に対し垂直に延びている。保持グリップ１５は同乗者のために設けられている。形状拘束要素３が自動二輪車の上下軸線１６に対し角度αを成して斜めに配置されているので、サイドケース１７を斜め上方から難なく形状拘束要素３に掛止させ、再び斜め上方へ難なく取り外すことができる。このためサイドケース１７は、形状拘束要素３に対し相補的に構成された繰り抜き部１８を有している。図１との関連で述べたように、形状拘束要素３，４はその自由端のほうへ先細りになっているので、サイドケース１７を掛止させる際に繰り抜き部１８は傾斜することなく形状拘束要素３上を滑動する。これによりサイドケース１７の所定どおりの位置決めが保証されている。
【図面の簡単な説明】
【００１５】
【図１】本発明による自動二輪車のサイドケースのための保持装置の斜視図である。
【図２】断線Ａ−Ａによる保持装置の横断面図である。この場合、形状拘束要素はラッシング穴として利用される。
【図３】断線Ｂ−Ｂによる保持装置の横断面図である。この場合、形状拘束要素にはサイドケースが掛止されている。
【図１】
2008500215.tif 000003
【図２】
2008500215.tif 000004
【図３】
2008500215.tif 000005
【国際調査報告】
2008500215.tif 000006
2008500215.tif 000007
2008500215.tif 000008
2008500215.tif 000009
2008500215.tif 000010
2008500215.tif 000011